(57)【特許請求の範囲】
【請求項１】
ビクティム発展型ノードＢ（ｅＮＢ）においてアグレッサｅＮＢから制御信号を受信することと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることと
を備え、
前記スケジュールすることが、
前記アグレッサｅＮＢのダウンリンクスロットに対応する前記ビクティムｅＮＢのアップリンクスロットのためにスケジュールされたアップリンク肯定応答（ＡＣＫ）／否定応答（ＮＡＣＫ）を回避するために、ハイブリッド自動再送要求（ＨＡＲＱ）タイムラインを変更すること
を備える、ワイヤレス通信の方法。
【請求項２】
前記ビクティムｅＮＢが、１つまたは複数のビクティムＵＥを含む複数のユーザ機器（ＵＥ）をサービスするｅＮＢを備える、請求項１に記載の方法。
【請求項３】
ビクティム発展型ノードＢ（ｅＮＢ）においてアグレッサｅＮＢから制御信号を受信することと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることと
を備え、
前記スケジュールすることは、
前記ビクティムｅＮＢが、周波数に従って前記ビクティムｅＮＢに関連する送信スロットを区分することと、ここにおいて、前記区分することは、衝突する１つのタイムスロットを、スロットエッジ及びスロット中心に区分することを備え、
前記送信スロット中のダウンリンクデータのための第１の周波数を割り当てることと、ここにおいて、前記割り当てることは、前記ビクティムｅＮＢの前記スロットエッジに、ダウンリンクリソースをスケジュールすることを備え、前記第１の周波数が、前記アグレッサｅＮＢに関連する対応する逆方向送信スロット中のオールモストブランクリソースに対応する、
を備える、方法。
【請求項４】
前記スケジュールすることが、
前記アグレッサｅＮＢ中のダウンリンクサブフレームに対応する前記ビクティムｅＮＢのアップリンクサブフレーム中でブランクスロットをスケジュールすること
を備える、請求項１に記載の方法。
【請求項５】
ビクティム発展型ノードＢ（ｅＮＢ）においてアグレッサｅＮＢから制御信号を受信するための手段と、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールするための手段と
を備え、
スケジュールするための前記手段が、
前記アグレッサｅＮＢのダウンリンクスロットに対応する前記ビクティムｅＮＢのアップリンクスロットのためにスケジュールされたアップリンク肯定応答（ＡＣＫ）／否定応答（ＮＡＣＫ）を回避するために、ハイブリッド自動再送要求（ＨＡＲＱ）タイムラインを変更するための手段
を備える、ワイヤレス通信のために構成された装置。
【請求項６】
前記ビクティムｅＮＢが、１つまたは複数のビクティムＵＥを含む複数のユーザ機器（ＵＥ）をサービスするｅＮＢを備える、請求項５に記載の装置。
【請求項７】
ビクティム発展型ノードＢ（ｅＮＢ）においてアグレッサｅＮＢから制御信号を受信するための手段と、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールするための手段と
を備え、
スケジュールするための前記手段は、
前記ビクティムｅＮＢが、周波数に従って前記ビクティムｅＮＢに関連する送信スロットを区分するための手段と、ここにおいて、区分するための前記手段は、衝突する１つのタイムスロットを、スロットエッジ及びスロット中心に区分するための手段を備え、
前記送信スロット中のダウンリンクデータのための第１の周波数を割り当てるための手段と、ここにおいて、割り当てるための前記手段は、前記ビクティムｅＮＢの前記スロットエッジに、ダウンリンクリソースをスケジュールするための手段を備え、前記第１の周波数が、前記アグレッサｅＮＢに関連する対応する逆方向送信スロット中のオールモストブランクリソースに対応する、
を備える、装置。
【発明の詳細な説明】
【技術分野】
【０００１】
[0001]本開示の態様は、一般にワイヤレス通信システムに関し、より詳細には、非対称ロングタームエボリューション（ＬＴＥ（登録商標）：long term evolution）展開（deployment）における干渉緩和に関する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションシステム（ＵＭＴＳ：Universal Mobile Telecommunication System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００３】
[0003]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方でパフォーマンスを劣化させることがある。
【０００５】
[0005]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００６】
[0006]本開示の代表的な態様は、非対称ＵＬ／ＤＬスロット構成に基づく干渉のための干渉緩和ソリューションを対象とする。そのような干渉に遭遇したとき、アグレッサ（aggressor）ネットワークエンティティ送信からの干渉によって影響を及ぼされ得るビクティム（victim）ネットワークエンティティが識別されるように、アグレッサ／ビクティムネットワークエンティティが、測定手段または静的／半静的手段のいずれかを使用して識別される。次いで、セル間干渉協調（ＩＣＩＣ：Inter Cell Interference Coordination）機構が、衝突するスロット中に発生する干渉をインテリジェントに緩和するスケジューリングをネゴシエートし、対処するために拡張される。
【０００７】
[0007]本開示の一態様では、ワイヤレス通信の方法は、１つまたは複数のネットワークエンティティに関連するアグレッサ発展型ノードＢ（ｅＮＢ：evolved nodeB）が状態品質測定値を取得することと、ｅＮＢが、状態品質測定値に基づいて非対称アップリンク（ＵＬ）／ダウンリンク（ＤＬ）スロットから干渉を受ける（subject to interference）１つまたは複数のビクティムネットワークエンティティを識別することと、１つまたは複数のネットワークエンティティに制御信号を送信することと、ここにおいて、制御信号が干渉の緩和に関係する、を含む。
【０００８】
[0008]本開示の追加の態様では、ワイヤレス通信の方法は、ビクティムｅＮＢにおいてアグレッサｅＮＢから制御信号を受信することと、ここにおいて、制御信号が、ビクティムｅＮＢにおける干渉を示す送信状態を示す、ビクティムｅＮＢが、干渉を緩和するためにビクティムｅＮＢに関連する送信をスケジュールすることとを含む。
【０００９】
[0009]本開示の追加の態様では、ワイヤレス通信のために構成された装置は、１つまたは複数のネットワークエンティティに関連するアグレッサｅＮＢが状態品質測定値を取得するための手段と、ｅＮＢが、状態品質測定値に基づいて非対称ＵＬ／ＤＬスロットから干渉を受ける１つまたは複数のビクティムネットワークエンティティを識別するための手段と、１つまたは複数のネットワークエンティティに制御信号を送信するための手段と、ここにおいて、制御信号が干渉の緩和に関係する、を含む。
【００１０】
[0010]本開示の追加の態様では、ワイヤレス通信のために構成された装置は、ビクティムｅＮＢにおいてアグレッサｅＮＢから制御信号を受信するための手段と、ここにおいて、制御信号が、ビクティムｅＮＢにおける干渉を示す送信状態を示す、ビクティムｅＮＢが、干渉を緩和するためにビクティムｅＮＢに関連する送信をスケジュールするための手段とを含む。
【００１１】
[0011]本開示の追加の態様では、コンピュータプログラム製品は、プログラムコードを記録したコンピュータ可読媒体を有する。このプログラムコードは、１つまたは複数のネットワークエンティティに関連するアグレッサｅＮＢが状態品質測定値を取得することをコンピュータに行わせるためのコードと、ｅＮＢが、状態品質測定値に基づいて非対称ＵＬ／ＤＬスロットから干渉を受ける１つまたは複数のビクティムネットワークエンティティを識別するためのコードと、１つまたは複数のネットワークエンティティに制御信号を送信するためのコードと、ここにおいて、制御信号が干渉の緩和に関係する、を含む。
【００１２】
[0012]本開示の追加の態様では、コンピュータプログラム製品は、プログラムコードを記録したコンピュータ可読媒体を有する。このプログラムコードは、ビクティムｅＮＢにおいてアグレッサｅＮＢから制御信号を受信することをコンピュータに行わせるためのコードと、ここにおいて、制御信号が、ビクティムｅＮＢにおける干渉を示す送信状態を示す、ビクティムｅＮＢが、干渉を緩和するためにビクティムｅＮＢに関連する送信をスケジュールするためのコードとを含む。
【００１３】
[0013]本開示の追加の態様では、装置は、少なくとも１つのプロセッサと、プロセッサに結合されたメモリとを含む。プロセッサは、１つまたは複数のネットワークエンティティに関連するアグレッサｅＮＢが状態品質測定値を取得することと、ｅＮＢが、状態品質測定値に基づいて非対称ＵＬ／ＤＬスロットから干渉を受ける１つまたは複数のビクティムネットワークエンティティを識別することと、１つまたは複数のネットワークエンティティに制御信号を送信することと、ここにおいて、制御信号が干渉の緩和に関係する、を行うように構成される。
【００１４】
[0014]本開示の追加の態様では、装置は、少なくとも１つのプロセッサと、プロセッサに結合されたメモリとを含む。プロセッサは、ビクティムｅＮＢにおいてアグレッサｅＮＢから制御信号を受信することと、ここにおいて、制御信号が、ビクティムｅＮＢにおける干渉を示す送信状態を示す、ビクティムｅＮＢが、干渉を緩和するためにビクティムｅＮＢに関連する送信をスケジュールすることとを行うように構成される。
【図面の簡単な説明】
【００１５】
【図１】[0015]モバイル通信システムの一例を概念的に示すブロック図。
【図２】[0016]モバイル通信システムにおけるダウンリンクフレーム構造の一例を概念的に示すブロック図。
【図３】[0017]アップリンクＬＴＥ／−Ａ通信における例示的なフレーム構造を概念的に示すブロック図。
【図４】[0018]本開示の一態様による、異種ネットワークにおける時分割多重（ＴＤＭ）区分を概念的に示すブロック図。
【図５】[0019]本開示の一態様に従って構成された基地局／ｅＮＢおよびＵＥの設計を概念的に示すブロック図。
【図６】[0020]２つの近隣ｅＮＢのためのタイムスロットを示すブロック図。
【図７】[0021]本開示の一態様を実装するために実行される例示的なブロックを示す機能ブロック図。
【図８】[0022]本開示の一態様に従って構成されたワイヤレス通信ネットワークの一部分を示すブロック図。
【図９Ａ】[0023]本開示の一態様に従って構成されたＵＥのアグレッサ／ビクティムペアを示すブロック図。
【図９Ｂ】本開示の一態様に従って構成されたＵＥのアグレッサ／ビクティムペアを示すブロック図。
【図１０】[0024]本開示の一態様に従って構成されたアグレッサｅＮＢとビクティムｅＮＢとの間の制御シグナリングを示すタイミング図。
【図１１】[0025]本開示の一態様に従って構成されたアグレッサＵＥとビクティムＵＥのセットを示すブロック図。
【図１２】[0026]本開示の一態様に従って構成された周波数分割多重（ＦＤＭ：frequency division multiplex）区分を示すブロック図。
【図１３】[0027]本開示の一態様に従って構成されたｅＮＢを示すブロック図。
【発明を実施するための形態】
【００１６】
[0028]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００１７】
[0029]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイルテレコミュニケーションシステム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００１８】
[0030]図１に、通信のためのワイヤレスネットワーク１００を示し、これはＬＴＥ−Ａネットワークであり得る。ワイヤレスネットワーク１００は、いくつかの発展型ノードＢ（ｅＮＢ）１１０と他のネットワークエンティティとを含む。ｅＮＢは、ＵＥと通信する固定局であり得、基地局、ノードＢ、アクセスポイントなどとも呼ばれる。各ｅＮＢ１１０は、特定の地理的エリアに通信カバレージを与え得る。３ＧＰＰでは、「セル」という用語は、この用語が使用される状況に応じて、ｅＮＢのこの特定の地理的カバレージエリアおよび／またはこのカバレージエリアをサービスするｅＮＢサブシステムを指すことがある。
【００１９】
[0031]ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００２０】
[0032]ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００２１】
[0033]ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２２】
[0034]ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。一般に、変調シンボルは、ＯＦＤＭでは周波数領域で、ＳＣ−ＦＤＭでは時間領域で送信される。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１つ、２つ、４つ、８つ、または１６個のサブバンドがあり得る。
【００２３】
[0035]図２に、ＬＴＥ／−Ａにおいて使用されるダウンリンクフレーム構造を示す。ダウンリンクの送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２４】
[0036]ＬＴＥ／−Ａでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２５】
[0037]ｅＮＢは、図２に示すように、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示された例では、Ｍ＝３である。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図２に示された例でも、ＰＤＣＣＨおよびＰＨＩＣＨは最初の３つのシンボル期間中に含まれている。ＰＨＩＣＨは、ハイブリッド自動再送信（ＨＡＲＱ：hybrid automatic retransmission）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００２６】
[0038]各サブフレームの制御セクション中で、すなわち、各サブフレームの第１のシンボル期間中でＰＨＩＣＨとＰＤＣＣＨとを送ることに加えて、ＬＴＥ−Ａはまた、各サブフレームのデータ部分中でもこれらの制御指向チャネルを送信し得る。図２に示したように、データ領域を利用するこれらの新しい制御設計、たとえば、リレー物理ダウンリンク制御チャネル（Ｒ−ＰＤＣＣＨ：Relay-Physical Downlink Control Channel）およびリレー物理ＨＡＲＱインジケータチャネル（ＲＰＨＩＣＨ：Relay-Physical HARQ Indicator Channel）は、各サブフレームの後のシンボル期間中に含まれる。Ｒ−ＰＤＣＣＨは、最初に半二重リレー動作のコンテキストにおいて開発された、データ領域を利用する新しいタイプの制御チャネルである。１つのサブフレーム中の最初のいくつかの制御シンボルを占有するレガシーＰＤＣＣＨおよびＰＨＩＣＨとは異なり、Ｒ−ＰＤＣＣＨおよびＲ−ＰＨＩＣＨは、最初にデータ領域として指定されたリソース要素（ＲＥ）にマッピングされる。新しい制御チャネルは、周波数分割多重（ＦＤＭ）、時分割多重（ＴＤＭ）、またはＦＤＭとＴＤＭとの組合せの形態であり得る。
【００２７】
[0039]ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２８】
[0040]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、４つのリソース要素を１つのシンボル期間中に含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００２９】
[0041]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３０】
[0042]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３１】
[0043]図３は、アップリンクロングタームエボリューション（ＬＴＥ／−Ａ）通信における例示的なフレーム構造３００を示すブロック図である。アップリンクのために利用可能なリソースブロック（ＲＢ）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続サブキャリアを含むデータセクションを生じる。
【００３２】
[0044]ＵＥには、ｅＮＢに制御情報を送信するために制御セクション中のリソースブロックが割り当てられ得る。ＵＥは、ｅノードＢにデータを送信するためにデータセクション中のリソースブロックも割り当てられ得る。ＵＥは、制御セクション中の割り当てられたリソースブロック３１０ａおよび３１０ｂ上の物理アップリンク制御チャネル（ＰＵＣＣＨ：Physical Uplink Control Channel）中で制御情報を送信し得る。ＵＥは、データセクション中の割り当てられたリソースブロック３２０ａおよび３２０ｂ上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数上でホッピングし得る。
【００３３】
[0045]再び図１を参照すると、ワイヤレスネットワーク１００は、システムの単位面積当たりの（per unit area）スペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。概して、かなり低い電力レベル（たとえば、１００ｍＷ〜２Ｗ）で送信する、ピコｅＮＢ１１０ｘは、マクロｅＮＢ１１０ａ〜ｃによって与えられたカバーエリア中のカバレージホールを除去し、ホットスポットにおける容量を改善するために比較的無計画な方法で展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、リソース協調および干渉管理の協調を実行するためにワイヤレスネットワーク１００の他のｅＮＢ１１０と通信し得る、アクティブでアウェアな（aware）ｅＮＢとしてのいずれかで、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００３４】
[0046]ワイヤレスネットワーク１００など、異種ネットワークの動作では、各ＵＥは、通常、より良い信号品質をもつｅＮＢ１１０によってサービスされ、他のｅＮＢ１１０から受信した不要な信号は干渉として扱われる。そのような動作長（operational principals）は、著しく準最適なパフォーマンスをもたらすことがあるが、ｅＮＢ１１０の間のインテリジェントリソース協調と、より良いサーバ選択ストラテジと、効率的な干渉管理のためのより高度の技法とを使用することによって、ワイヤレスネットワーク１００においてネットワークパフォーマンスの利得が実現される。
【００３５】
[0047]ピコｅＮＢ１１０ｘなどのピコｅＮＢは、マクロｅＮＢ１１０ａ〜ｃなどのマクロｅＮＢと比較したとき、かなり低い送信電力によって特徴づけられる。ピコｅＮＢはまた、通常、ワイヤレスネットワーク１００などのネットワークの周りにアドホックに配置される。この無計画展開のために、ワイヤレスネットワーク１００など、ピコｅＮＢ配置をもつワイヤレスネットワークは、カバレージエリアまたはセルのエッジ上のＵＥ（「セルエッジ」ＵＥ）への制御チャネル送信のためのより困難なＲＦ環境に役立つことができる、低信号対干渉状態をもつ大きいエリアを有することが予想され得る。さらに、マクロｅＮＢ１１０ａ〜ｃの送信電力レベルとピコｅＮＢ１１０ｘの送信電力レベルとの間の潜在的に大きい格差（たとえば、約２０ｄＢ）は、混合展開において、ピコｅＮＢ１１０ｘのダウンリンクカバレージエリアがマクロｅＮＢ１１０ａ〜ｃのそれよりもはるかに小さいことを暗示する。
【００３６】
[0048]しかしながら、アップリンクの場合、アップリンク信号の信号強度は、ＵＥによって支配され、したがって、どのタイプのｅＮＢ１１０によって受信されたときでも同様である。ｅＮＢ１１０のためのアップリンクカバレージエリアがほぼ同じまたは同様であれば、チャネル利得に基づいてアップリンクハンドオフ境界が判断されることになる。これは、ダウンリンクハンドオーバ境界とアップリンクハンドオーバ境界との間の不一致をもたらし得る。追加のネットワーク適応がなければ、不一致により、ワイヤレスネットワーク１００におけるサーバ選択またはｅＮＢへのＵＥの関連付けは、ダウンリンクハンドオーバ境界とアップリンクハンドオーバ境界とがより厳密に一致するマクロｅＮＢ専用同種ネットワークにおけるよりも困難になるであろう。
【００３７】
[0049]サーバ選択が主にダウンリンク受信信号強度に基づく場合、ワイヤレスネットワーク１００などの異種ネットワークの混合ｅＮＢ展開の有用性は大幅に減少されよう。これは、マクロｅＮＢ１１０ａ〜ｃのより高いダウンリンク受信信号強度が、利用可能なすべてのＵＥを引きつけ、ピコｅＮＢ１１０ｘはそれのはるかに弱いダウンリンク送信電力のためにどのＵＥをもサービスしないことがあるので、マクロｅＮＢ１１０ａ〜ｃなど、より高電力のマクロｅＮＢのより大きいカバレージエリアが、ピコｅＮＢ１１０ｘなどのピコｅＮＢを用いてセルカバレージを分割することの利点を限定するためである。さらに、マクロｅＮＢ１１０ａ〜ｃは、それらのＵＥを効率的にサービスするために十分なリソースを有しない可能性がある。したがって、ワイヤレスネットワーク１００は、ピコｅＮＢ１１０ｘのカバレージエリアを拡張することによってマクロｅＮＢ１１０ａ〜ｃとピコｅＮＢ１１０ｘとの間で負荷をアクティブにバランスさせ（balance）ようと試みる。この概念はセル範囲拡張（ＣＲＥ：cell range extension）と呼ばれる。
【００３８】
[0050]ワイヤレスネットワーク１００は、サーバ選択を判断する方法を変更することによってＣＲＥを達成する。サーバ選択がダウンリンク受信信号強度に基づく代わりに、選択はダウンリンク信号の品質に一層基づく。１つのそのような品質ベースの判断では、サーバ選択は、ＵＥに最小の経路損失を与えるｅＮＢを判断することに基づき得る。さらに、ワイヤレスネットワーク１００は、マクロｅＮＢ１１０ａ〜ｃとピコｅＮＢ１１０ｘとの間にリソースの固定の区分を与える。しかしながら、このアクティブな負荷のバランシング（balancing）を伴う場合でも、ピコｅＮＢ１１０ｘなどのピコｅＮＢによってサービスされるＵＥに対するマクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００３９】
[0051]ワイヤレスネットワーク１００など、セル範囲拡張を用いる異種ネットワークでは、ＵＥが、マクロｅＮＢ１１０ａ〜ｃなどのより高電力のｅＮＢから送信されたより強いダウンリンク信号の存在下でピコｅＮＢ１１０ｘなどのより低電力のｅＮＢからサービスを取得するために、ピコｅＮＢ１１０ｘは、マクロｅＮＢ１１０ａ〜ｃのうちの支配的干渉マクロｅＮＢとの制御チャネルおよびデータチャネル干渉協調に関与する。干渉を管理するために、干渉協調のための多くの異なる技法が採用され得る。たとえば、同一チャネル展開中のセルからの干渉を低減するために、セル間干渉協調（ＩＣＩＣ）が使用され得る。１つのＩＣＩＣ機構は適応リソース区分である。適応リソース区分は、いくつかのｅＮＢにサブフレームを割り当てる。第１のｅＮＢに割り当てられたサブフレーム中ではネイバーｅＮＢが送信しない。したがって、第１のｅＮＢによってサービスされるＵＥが受ける干渉が低減される。サブフレーム割当ては、アップリンクとダウンリンクの両方のチャネル上で実行され得る。
【００４０】
[0052]たとえば、サブフレームは、保護サブフレーム（Ｕサブフレーム）と、禁止サブフレーム（Ｎサブフレーム）と、共通サブフレーム（Ｃサブフレーム）とのサブフレームの３つのクラスの間で割り振られ得る。保護サブフレームは、第１のｅＮＢによって排他的に使用するために第１のｅＮＢに割り当てられる。保護サブフレームは、隣接ｅＮＢからの干渉がないことに基づき「クリーン」サブフレームと呼ばれることもある。禁止サブフレームはネイバーｅＮＢに割り当てられたサブフレームであり、第１のｅＮＢは、禁止サブフレーム中でデータを送信することを禁止される。たとえば、第１のｅＮＢの禁止サブフレームは、第２の干渉ｅＮＢの保護サブフレームに対応し得る。したがって、第１のｅＮＢは、第１のｅＮＢの保護サブフレーム中でデータを送信する唯一のｅＮＢである。共通サブフレームは、複数のｅＮＢによってデータ送信のために使用され得る。共通サブフレームは、他のｅＮＢからの干渉の可能性があるため「非クリーン」サブフレームと呼ばれることもある。
【００４１】
[0053]期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとに１つの保護サブフレームがｅＮＢに静的に割り当てられ得る。他のサブフレームが動的に割り振られ得る。
【００４２】
[0054]適応リソース区分情報（ＡＲＰＩ：adaptive resource partitioning information）は、非静的に割り当てられたサブフレームが動的に割り振られることを可能にする。保護、禁止、共通の任意のサブフレームが動的に割り振られ得る（それぞれ、ＡＵ、ＡＮ、ＡＣサブフレーム）。動的割当ては、たとえば、１００ミリ秒ごとにまたはそれ以下などで、急速に変化し得る。
【００４３】
[0055]異種ネットワークは、異なる電力クラスのｅＮＢを有し得る。たとえば、３つの電力クラスが、電力クラスの高いものから順に、マクロｅＮＢ、ピコｅＮＢ、およびフェムトｅＮＢとして定義され得る。マクロｅＮＢとピコｅＮＢとフェムトｅＮＢとが同一チャネル展開中にあるとき、マクロｅＮＢ（アグレッサｅＮＢ）の電力スペクトル密度（ＰＳＤ：power spectral density）は、ピコｅＮＢおよびフェムトｅＮＢ（ビクティムｅＮＢ）のＰＳＤよりも大きくなり、ピコｅＮＢおよびフェムトｅＮＢとの大量の干渉を生じ得る。ピコｅＮＢおよびフェムトｅＮＢとの干渉を低減するかまたは最小限に抑えるために、保護サブフレームが使用され得る。すなわち、アグレッサｅＮＢ上の禁止サブフレームに対応するように、ビクティムｅＮＢに対して保護サブフレームがスケジュールされ得る。
【００４４】
[0056]図４は、本開示の一態様による、異種ネットワークにおける時分割多重（ＴＤＭ）区分を示すブロック図である。ブロックの第１の行はフェムトｅＮＢのためのサブフレーム割当てを示し、ブロックの第２の行はマクロｅＮＢのためのサブフレーム割当てを示している。ｅＮＢの各々が静的保護サブフレームを有する間、他方のｅＮＢは静的禁止サブフレームを有する。たとえば、フェムトｅＮＢは、サブフレーム０中の禁止サブフレーム（Ｎサブフレーム）に対応して、サブフレーム０中の保護サブフレーム（Ｕサブフレーム）を有する。同様に、マクロｅＮＢは、サブフレーム７中の禁止サブフレーム（Ｎサブフレーム）に対応して、サブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。サブフレーム５および６中の動的に割り当てられた共通サブフレーム（ＡＣ）中に、フェムトｅＮＢとマクロｅＮＢの両方がデータを送信し得る。
【００４５】
[0057]保護サブフレーム（Ｕ／ＡＵサブフレームなど）は、アグレッサｅＮＢが送信を禁止されるので、低減された干渉と高いチャネル品質を有する。禁止サブフレーム（Ｎ／ＡＮサブフレームなど）は、ビクティムｅＮＢが干渉レベルの低いデータを送信できるように、データ送信を有しない。共通サブフレーム（Ｃ／ＡＣサブフレームなど）は、データを送信するネイバーｅＮＢの数に依存するチャネル品質を有する。たとえば、ネイバーｅＮＢが共通サブフレーム上でデータを送信する場合、共通サブフレームのチャネル品質は保護サブフレームよりも低くなり得る。共通サブフレーム上のチャネル品質はまた、アグレッサｅノードＢによって強く影響を及ぼされるセル範囲拡大（ＣＲＥ：cell range expansion）ＵＥではより低くなり得る。ＣＲＥ  ＵＥは、第１のｅＮＢに属し得るが、第２のｅＮＢのカバレージエリア中にも位置し得る。たとえば、フェムトｅＮＢカバレージの範囲限界の近くにあるマクロｅＮＢと通信しているＵＥは、ＣＲＥ  ＵＥである。
【００４６】
[0058]ＬＴＥ／−Ａにおいて採用され得る別の例示的な干渉管理方式は、低速適応（slowly-adaptive）干渉管理である。この手法を干渉管理に使用すると、スケジューリング間隔よりもはるかにより大きい時間スケールにわたってリソースがネゴシエートされ、割り振られる。本方式の目的は、ネットワークの総ユーティリティを最大にする、時間または周波数リソースのすべてにわたる、送信ｅＮＢおよびＵＥのすべてのための送信電力の組合せを発見することである。「ユーティリティ」は、ユーザデータレート、サービス品質（ＱｏＳ）フローの遅延、および公平性メトリックの関数として定義され得る。そのようなアルゴリズムは、最適化を解決するために使用される情報のすべてにアクセスでき、送信エンティティのすべてを制御する中央エンティティによって計算され得る。この中央エンティティは、常に実際的であるとは限らず、さらには望ましいとは限らないことがある。したがって、代替態様では、ノードのあるセットからのチャネル情報に基づいてリソース使用状況決定を行う分散アルゴリズムが使用され得る。したがって、低速適応干渉アルゴリズムは、中央エンティティを使用するか、またはネットワーク中のノード／エンティティの様々なセットにわたってアルゴリズムを配信することによってのいずれかで展開され得る。
【００４７】
[0059]ワイヤレスネットワーク１００など、異種ネットワークの展開では、ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示すように）よりマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理を使用すると、ｅＮＢ１１０ｃとフェムトｅＮＢ１１０ｙとは、リソースをネゴシエートするためにバックホール（backhaul）１３４を介して通信し得る。ネゴシエーションにおいて、フェムトｅＮＢ１１０ｙは、それのチャネルリソースの１つの上での送信を中止することに同意し、それにより、ＵＥ１２０ｙがその同じチャネルを介してｅＮＢ１１０ｃと通信するときと同程度の、フェムトｅＮＢ１１０ｙからの干渉を、ＵＥ１２０ｙが受けないようにする。
【００４８】
[0060]そのような支配的干渉シナリオでは、ＵＥと複数のｅＮＢとの間の距離が異なるために、ＵＥにおいて観測される信号電力の相異に加えて、同期システム中でもＵＥによってまたダウンリンク信号のタイミング遅延が観測され得る。同期システム中のｅＮＢは、推論上、システムにわたって同期される。しかしながら、たとえば、マクロｅＮＢから５ｋｍの距離にあるＵＥについて考察すると、そのマクロｅＮＢから受信したダウンリンク信号の伝搬遅延は、約１６．６７μｓ（５ｋｍ÷３×１０8（すなわち、光速、「ｃ」））遅延されるであろう。マクロｅＮＢからのそのダウンリンク信号を、はるかに近いフェムトｅＮＢからのダウンリンク信号と比較すると、タイミング差は有効期間（ＴＴＬ：time-to-live）エラーのレベルに近づく可能性がある。
【００４９】
[0061]さらに、そのようなタイミング差は、ＵＥにおける干渉消去に影響を及ぼし得る。干渉消去は、同じ信号の複数のバージョンの組合せ間の相互相関特性をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わされた信号の相互相関を使用すると、実際の信号部分が判断され、干渉と区別され得、したがって干渉を消去することが可能になる。
【００５０】
[0062]図５に、図１の基地局／ｅＮＢのうちの１つであり得る基地局／ｅＮＢ１１０および図１のＵＥのうちの１つであり得るＵＥ１２０の設計のブロック図を示す。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、アンテナ５３４ａ〜５３４ｔを装備し得、ＵＥ１２０は、アンテナ５５２ａ〜５５２ｒを装備し得る。
【００５１】
[0063]ｅＮＢ１１０において、送信プロセッサ５２０は、データソース５１２からデータを受信し、コントローラ／プロセッサ５４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ５２０は、データと制御情報とを処理（たとえば、符号化およびシンボルマッピング）して、それぞれデータシンボルと制御シンボルとを取得し得る。送信プロセッサ５２０はまた、たとえば、ＰＳＳ、ＳＳＳ、およびセル固有基準信号のための基準シンボルを生成し得る。送信（ＴＸ）多入力多出力（ＭＩＭＯ）プロセッサ５３０は、適用可能な場合、データシンボル、制御シンボル、および／または基準シンボルに対して空間処理（たとえば、プリコーディング）を実行し得、出力シンボルストリームを変調器（ＭＯＤ）５３２ａ〜５３２ｔに与え得る。各変調器５３２は、（たとえば、ＯＦＤＭなどのために）それぞれの出力シンボルストリームを処理して、出力サンプルストリームを取得し得る。各変調器５３２はさらに、出力サンプルストリームを処理（たとえば、アナログへの変換、増幅、フィルタ処理、およびアップコンバート）して、ダウンリンク信号を取得し得る。変調器５３２ａ〜５３２ｔのダウンリンク信号は、それぞれアンテナ５３４ａ〜５３４ｔを介して送信され得る。
【００５２】
[0064]ＵＥ１２０において、アンテナ５５２ａ〜５５２ｒは、ｅＮＢ１１０からダウンリンク信号を受信し得、受信信号をそれぞれ復調器（ＤＥＭＯＤ）５５４ａ〜５５４ｒに与え得る。各復調器５５４は、それぞれの受信信号を調整（たとえば、フィルタ処理、増幅、ダウンコンバート、およびデジタル化）して、入力サンプルを取得し得る。各復調器５５４は、（たとえば、ＯＦＤＭなどのために）入力サンプルをさらに処理して、受信シンボルを取得し得る。ＭＩＭＯ検出器５５６は、すべての復調器５５４ａ〜５５４ｒから受信シンボルを取得し、適用可能な場合は受信シンボルに対してＭＩＭＯ検出を実行し、検出シンボルを与え得る。受信プロセッサ５５８は、検出シンボルを処理（たとえば、復調、デインターリーブ、および復号）し、ＵＥ１２０の復号されたデータをデータシンク５６０に与え、復号された制御情報をコントローラ／プロセッサ５８０に与え得る。
【００５３】
[0065]アップリンク上では、ＵＥ１２０において、送信プロセッサ５６４は、データソース５６２から（たとえば、ＰＵＳＣＨのための）データを受信し、処理し得、コントローラ／プロセッサ５８０から（たとえば、ＰＵＣＣＨのための）制御情報を受信し、処理し得る。送信プロセッサ５６４はまた、基準信号のための基準シンボルを生成し得る。送信プロセッサ５６４からのシンボルは、適用可能な場合はＴＸ  ＭＩＭＯプロセッサ５６６によってプリコードされ、さらに（たとえば、ＳＣ−ＦＤＭなどのために）復調器５５４ａ〜５５４ｒによって処理され、ｅＮＢ１１０に送信され得る。ｅＮＢ１１０において、ＵＥ１２０からのアップリンク信号は、アンテナ５３４によって受信され、変調器５３２によって処理され、適用可能な場合はＭＩＭＯ検出器５３６によって検出され、さらに受信プロセッサ５３８によって処理されて、ＵＥ１２０によって送られた復号されたデータおよび制御情報が取得され得る。プロセッサ５３８は、復号されたデータをデータシンク５３９に与え、復号された制御情報をコントローラ／プロセッサ５４０に与え得る。
【００５４】
[0066]コントローラ／プロセッサ５４０および５８０は、それぞれｅＮＢ１１０における動作およびＵＥ１２０における動作を指示し得る。ｅＮＢ１１０におけるコントローラ／プロセッサ５４０および／または他のプロセッサおよびモジュールは、本明細書で説明する技法のための様々なプロセスを実行するか、またはその実行を指示し得る。ＵＥ１２０におけるコントローラ／プロセッサ５８０および／または他のプロセッサとモジュールはまた、図８〜図９に示す機能ブロック、および／または本明細書で説明する技法のための他のプロセスを実行するか、またはその実行を指示し得る。メモリ５４２および５８２は、それぞれｅＮＢ１１０およびＵＥ１２０のためのデータおよびプログラムコードを記憶し得る。スケジューラ５４４は、ダウンリンク上および／またはアップリンク上でのデータ送信のためにＵＥをスケジュールし得る。
【００５５】
[0067]時分割複信（ＴＤＤ）システムでは、リアルタイムＵＬ／ＤＬトラフィック負荷に適応可能である動的／半動的ＵＬ／ＤＬタイムスロット構成が、スペクトル利用を改善する１つの方法として知覚される。図６は、２つの近隣ｅＮＢのためのタイムスロットを示すブロック図である。マクロｅＮＢは、第１のタイムスロット構成を使用してマクロ送信フレーム６００中で情報を送信する。近隣ピコｅＮＢは、第２の異なるタイムスロット構成を使用してピコ送信フレーム６０１中で情報を送信する。異なるタイムスロット構成は、競合するタイムスロットを作成し、そのようなマクロ送信フレーム６００はＵＬタイムスロットを動作させ、ピコ送信フレーム６０１はＤＬタイムスロットを動作させる。しかしながら、タイムスロット６０２および６０３中など、近隣セル中の異なるＤＬ／ＵＬタイムスロット構成は、ｅＮＢのＤＬ動作が近隣セルのＵＥ  ＵＬ受信への干渉を引き起こすｅＮＢ間干渉を含む、様々な干渉問題につながり得る。ｅＮＢの送信電力はＵＥの送信電力よりも著しく高いことがあるので、ＤＬ動作によって引き起こされる干渉は無視できない。ＵＥ間干渉はまた、競合するＤＬ／ＵＬタイムスロットを生じ得る。ＵＥ間干渉では、ＵＥ  ＵＬ送信は、近隣セルによってサービスされるＵＥのＵＥ  ＤＬ受信に干渉し得る。ＵＥが互いに近い場合、この種類の干渉は非常に強いことがある。
【００５６】
[0068]本開示の様々な態様は、ＵＥ間干渉処理とｅＮＢ間干渉処理の両方のための干渉緩和ソリューションを提案する。図７は、本開示の一態様を実装するために実行される例示的なブロックを示す機能ブロック図である。ブロック７００において、ＵＬ／ＤＬ干渉を受けるネットワークエンティティのアグレッサ／ビクティムセットを識別する。選択された態様では、アグレッサｅＮＢ／ビクティムｅＮＢのセットが識別され、他の選択された態様では、アグレッサＵＥ／ビクティムＵＥのセットが識別される。モビリティ管理のために、ＵＥは、現在のサービングセルおよび近隣セルの物理的リンクを測定し、ネットワークに基準信号受信電力（ＲＳＲＰ：reference signal receive power）／基準信号受信品質（ＲＳＲＱ：reference signal received quality）を報告する。経路損失のＵＥ測定値および異なるセルの信号強度が、異なるセル中の潜在的アグレッサ／ビクティムネットワークエンティティセットを分類するために使用され得る。ｅＮＢの干渉セットはまた、運用、管理、および保守（ＯＡＭ：operation, administrative, and maintenance）インターフェースを介した静的／半静的構成において識別され得る。
【００５７】
[0069]ブロック７０１において、アグレッサ／ビクティムセットのｅＮＢ間で制御シグナリングを送信する。ＬＴＥ  ＩＣＩＣは、Ｘ２インターフェースなど、バックホールインターフェースを介してｅＮＢ間で送信され得る、セル間干渉処理のための様々な制御シグナリングを含む。たとえば、制御シグナリングは、相対狭帯域送信電力（ＲＮＴＰ：relative narrowband transmit power）と、過負荷インジケータ（ＯＩ：overload indicator）と、高干渉インジケータ（ＨＩＩ：high interference indicator）とを含む。ＲＮＴＰ情報は、一般に、ネイバーｅＮＢ（neighbor eNBs）に送られる。ＲＮＴＰ情報は、ダウンリンク中の物理リソースブロック（ＰＲＢ）ごとに１ビットを含んでおり、そのＰＲＢ上の送信電力が所与のしきい値よりも大きくなるかどうかを示す。したがって、ＲＮＴＰを受信するネイバーｅＮＢは、ＵＥからのＣＱＩ報告に依拠するのではなく、どの帯域がより厳しい干渉を被るであろうかを予想し、直ちに正しいスケジューリング決定を行うことができる。ｅＮＢは、ＲＮＴＰメッセージをプロアクティブに送出するが、ＯＩインジケータは、アップリンク方向における高干渉がｅＮＢによって検出されたときにトリガされる。ｅＮＢは、ＵＥが潜在的にこの高干渉のソースである、ネイバーｅＮＢにＯＩを送る。ＯＩメッセージはまた、ＰＲＢごとに低、中、または高の干渉レベル指示を含んでいる。ＵＬ送信のためのＨＩＩは、ＤＬのためのＲＮＴＰメッセージと同様に動作する。ＰＲＢごとに、近隣ｅＮＢが近い将来に高干渉電力を予想すべきかどうかを示す１ビットがある。したがって、一般に、セルエッジＵＥに割り当てられるＰＲＢが示される。ハンドオーバ測定報告の一部としてのＲＳＲＰ測定値はまた、セルエッジＵＥを識別するために使用され得る。同様の方法で、このインジケータは、周波数区分方式において使用される帯域を識別するために使用され得る。
【００５８】
[0070]再びブロック７０１を参照すると、ＵＥ間干渉に対処するための態様では、アグレッサＵＥをサービスしているｅＮＢは、Ｘ２干渉上でビクティムＵＥをサービスしているｅＮＢにＨＩＩメッセージを送信し得る。ｅＮＢ間干渉に対処するための態様では、アグレッサｅＮＢは、使用されるＲＢならびにそれらの相対送信電力をプロアクティブに識別するＲＮＴＰをビクティムｅＮＢに送信し得る。ビクティムｅＮＢは、いくつかのＲＢ中で高干渉を受けたとき、アグレッサｅＮＢにＯＩメッセージをリアクティブに（reactively）送信し得る。
【００５９】
[0071]ブロック７０２において、送信された制御シグナリングに応答して伝送特性が調整される。たとえば、アグレッサｅＮＢからＲＮＴＰメッセージを受信すると、ビクティムｅＮＢは、ＵＬトラフィックを未使用ＲＢまたは低干渉ＲＢ上にスケジュールし得る。さらに、ビクティムｅＮＢからＯＩメッセージを受信すると、アグレッサｅＮＢは、対応するＲＢのＤＬ電力を低減し得る。ＲＮＴＰメッセージおよびＯＩメッセージの通信を通して、アグレッサｅＮＢとビクティムｅＮＢとは送信電力をネゴシエートし得る。
【００６０】
[0072]図８は、本開示の一態様に従って構成されたワイヤレス通信ネットワーク７０の一部分を示すブロック図である。図示されたワイヤレス通信ネットワーク７０の部分は、カバレージエリア８０６を画定するマクロｅＮＢ（ＭｅＮＢ）８００と、ピコカバレージエリア８０７を画定するピコｅＮＢ（ＰｅＮＢ）８０１と、カバレージエリア８０８を画定するＭｅＮＢ８０５とを含む。３つのＵＥ、ＭＵＥ８０３とＰＵＥ８０２とＭＵＥ８０４とは、カバレージエリア８０６〜８０８のうちの１つ内に位置する。タイムスロット構成は、ＵＬ／ＤＬタイムスロット（たとえば、図６からのサブフレーム６０２または６０３）中で非対称性を生じるＭｅＮＢ８００、ＰｅＮＢ８０１、およびＭｅＮＢ８０５について異なる。したがって、同じタイムスロット中に、ＭＵＥ８０３はＭｅＮＢ８００へのＵＬのためにスケジュールされるが、ＰＵＥ８０２はＰｅＮＢ８０１からのＤＬのためにスケジュールされ、ＭＵＥ８０４はＭｅＮＢ８０５へのＵＬのためにスケジュールされる。ＭＵＥ８０３および８０４からのスケジュールされたＵＬ通信は、ＰｅＮＢ８０１からＰＵＥ８０２へのＤＬ通信に対して干渉を引き起こす。ＭＵＥ８０３は、ＭＵＥ８０４よりもＰＵＥ８０２に相対的に近いので、ＭＵＥ８０３からＰＵＥ８０２へのＤＬ干渉ははるかにより強い。さらに、ＰｅＮＢ８０１からのＤＬ通信はまた、ＭＵＥ８０３とＭＵＥ８０４とからそれぞれのＵＬ通信を受信するＭｅＮＢ８００とＭｅＮＢ８０５との干渉を生じ得る。したがって、本開示の選択された態様は、ＰＵＥ８０２およびＭＵＥ８０３〜８０４のＵＬ／ＤＬタイムスロット中の非対称性によって引き起こされるＵＥ間干渉を緩和することを対象とする。本開示の追加の態様は、ＰｅＮＢ８０１ならびにＭｅＮＢ８００および８０５のＵＬ／ＤＬ非対称性によるｅＮＢ間干渉原因（eNB-to-eNB interference cause）を緩和することを対象とする。
【００６１】
[0073]前述のように、ＵＥは、現在セルおよび近隣セルの物理リンクを測定し、ネットワークにＲＳＲＰ／ＲＳＲＱを報告する。図９Ａおよび図９Ｂは、本開示の一態様に従って構成されたＵＥのアグレッサ／ビクティムペアを示す図である。図９Ａおよび図９Ｂでは、ｅＮＢ９０２はＵＥ９００のためのサービングｅＮＢであり、ｅＮＢ９０３はＵＥ９０１のためのサービングｅＮＢである。
【００６２】
[0074]図９Ａおよび図９Ｂに示された本開示の第１の例示的な態様では、ＵＬ／ＤＬタイムスロットの非対称性がビクティムＵＥ９０１に対して干渉を引き起こす。詳細には、ＵＬ／ＤＬ非対称性は、アグレッサＵＥ９００からｅＮＢ９０２へのＵＬ送信によるｅＮＢ９０３からビクティムＵＥ９０１へのＤＬ送信上の干渉を引き起こす。
【００６３】
[0075]モビリティ管理測定の通常の過程では、アグレッサＵＥ９００は、ｅＮＢ９０２と、それのサービングｅＮＢと、ｅＮＢ９０３とに対するそれの経路損失を測定し、それのサービングｅＮＢと、ｅＮＢ９０２と、ｅＮＢ９０３などの近隣ｅＮＢとに状態品質測定値を送信する。図９Ｂでは、ビクティムＵＥ９０１は、ｅＮＢ９０３と、それのサービングｅＮＢと、ｅＮＢ９０２とに対するそれの経路損失を測定し、それのサービングｅＮＢ、ｅＮＢ９０３に状態品質測定値を送信する。いくつかの実施形態では、ＵＥはまた、ｅＮＢ９０２など、隣接ｅＮＢに状態品質測定値を送信し得るか、またはサービングｅＮＢ９０３がそれを中継し得る。様々な状態品質測定値を測定するためのネットワーク測定セットアップに基づいて、アグレッサ／ビクティムＵＥは、それらのサービングセルと、場合によってはそれらの近隣セルとに、それらの経路損失測定値を報告するように要求される。これらの状態品質測定値報告を使用して、ネットワークは、アグレッサおよびビクティムに対する経路損失が同様である、潜在的なアグレッサ／ビクティムＵＥセットを分類／識別することができる。より正確な識別を行うために、アグレッサＵＥ／ビクティムＵＥのサービングセルは、同期／半同期方式で測定値を構成することができる。
【００６４】
[0076]ネットワークは、経路損失測定値を受信し、ビクティムＵＥ９０１からｅＮＢ９０３への経路損失がアグレッサＵＥ９００からｅＮＢ９０３への経路損失に近いかまたはそれよりも小さく、合成経路損失測定値（combined pathloss measurements）がビクティムＵＥ９０１までのアグレッサＵＥ９００の近接を示すとき、ビクティムＵＥ９０１がビクティムであり、アグレッサＵＥ９００がアグレッサであると判断する。これらの条件が満たされたとき、ネットワークはアグレッサ／ビクティムＵＥセットを識別することができる。
【００６５】
[0077]図９Ａおよび図９Ｂに示された本開示の第２の例示的な態様では、ＵＬ／ＤＬタイムスロットの非対称性がビクティムｅＮＢ９０２に対して干渉を引き起こす。詳細には、ＵＬ／ＤＬ非対称性は、アグレッサｅＮＢ９０３からＵＥ９０１へのＤＬ送信による、ビクティムｅＮＢ９０２におけるアグレッサＵＥ９００からのＵＬ上の干渉を引き起こす。
【００６６】
[0078]ＵＥが、ＲＳＲＰ／ＲＳＲＱ、経路損失など、様々な状態品質測定を行うように構成されるとき、これらの状態品質測定結果は、アグレッサ／ビクティムｅＮＢセット識別のために利用され得る。ネットワークは、ＵＥ９０１からアグレッサｅＮＢ９０３への経路損失がＵＥ９００からビクティムｅＮＢ９０３への経路損失に近いかまたはそれよりも小さく、合成経路損失測定値がＵＥ９０１までのＵＥ９００の近接を示すとき、ビクティムｅＮＢ９０２がビクティムであり、アグレッサｅＮＢ９０３がアグレッサであると判断する。ｅＮＢ９０２および９０３など、ｅＮＢはまた、経路損失など、同様の状態品質測定を実行するように構成され得る。同様の条件を使用して、ネットワークは、ｅＮＢのアグレッサ／ビクティムセットを判断するために、アグレッサと潜在的ビクティムｅＮＢとの間の関係する経路損失測定値を考慮する。これらの条件が満たされたとき、ネットワークはアグレッサ／ビクティムｅＮＢセットを識別することができる。これらの測定結果はまた、アグレッサ／ビクティムｅＮＢセットを判断するために、そのような状態品質測定のために構成されたＵＥなしのセルと共有され得る。低経路損失をもつｅＮＢは、アグレッサ／ビクティムペアとしてカテゴリー分類され得る。
【００６７】
[0079]本開示の追加の態様では、ＤＬが潜在的アグレッサＵＥ  ＵＬ通信によってともに大きく干渉されるビクティムＵＥを識別する追加の方法が、デュアルＣＱＩ報告に基づくことに留意されたい。デュアルＣＱＩ報告能力（dual CQI reporting capability）は、現在、ＬＴＥ規格中に存在する。この構成では、ＵＥは、ＵＥ間干渉を受け得る時間パターンに対応するＣＱＩと、ＵＥ間干渉をほとんどまたはまったく受けない時間パターンに対応するＣＱＩとの２つのタイプを報告するように構成される。ＵＥデュアルＣＱＩ報告がＣＱＩ間で大きい差を示す場合、ＵＥは別のＵＥから干渉を受けていることがあり、したがって、非対称ＤＬ／ＵＬ構成による干渉を有しないタイムスロット中にスケジュールされるべきである。
【００６８】
[0080]アグレッサ／ビクティムｅＮＢセットの識別は、ネットワークが、アグレッサｅＮＢ送信中にｅＮＢ間干渉協調と協調スケジューリング機構とを適用することを可能にする。非対称ＤＬ／ＵＬ構成ベースのｅＮＢ間干渉に関して上記で説明した測定ベースのソリューションに加えて、アグレッサ／ビクティムｅＮＢセットを識別するために運用、管理、および保守（ＯＡＭ）インターフェース、自己組織化ネットワーク（ＳＯＮ：self-organizing network）、または他の方法を介して静的／半静的構成が与えられ得ることにさらに留意されたい。
【００６９】
[0081]図１０は、本開示の一態様に従って構成されたアグレッサｅＮＢ１０００とビクティムｅＮＢ１００１との間の制御シグナリングを示すタイミング図である。スイッチングサイクルが開始すると、時間１００２において、アグレッサｅＮＢ１０００がビクティムｅＮＢ１００１などのビクティムｅＮＢを識別する、開ループ電力設定プロセスが開始する。アグレッサｅＮＢ１０００は、次いで、識別されたビクティムｅＮＢとの初期送信電力のネゴシエーションを開始し得る。時間１００３において、アグレッサｅＮＢ１０００は、それの経路損失を測定し、その結果をスイッチングタイムスロットパターンと開始時間とともにビクティムｅＮＢ１００１に送信する。経路損失情報を受信したことに応答して、時間１００４において、ビクティムｅＮＢ１００１は、それの負荷と干渉レベルとをアグレッサｅＮＢ１０００に送信する。時間１００５において、アグレッサｅＮＢ１０００は、ビクティムｅＮＢ１００１において受ける干渉とビクティムｅＮＢ１００１に対する経路損失のそれの測定値とに基づいて、送信電力を判断する。初期送信電力は、ビクティムｅＮＢ１００１のＵＬ受信への影響を最小限に抑えるように選択される。
【００７０】
[0082]次いで、セル間干渉協調を用いた閉ループ電力調整プロセスを開始し得る。アグレッサｅＮＢ１０００は、時間１００６において、ビクティムｅＮＢ１００１にＲＮＴＰメッセージをプロアクティブにシグナリングし、アグレッサｅＮＢ１０００が使用しようとするＲＢと、使用する場合のそれらの相対送信電力とを識別し得る。ビクティムｅＮＢ１００１は、次いで、ＲＮＴＰメッセージを使用して、どの帯域がより厳しい干渉を有するようになるか予想し、より厳しい帯域の周りのスケジューリング決定をインテリジェントに行い得る。たとえば、ビクティムｅＮＢ１００１は、未使用のＲＢまたは低干渉をもつＲＢ上にＵＬトラフィックをスケジュールし得る。ビクティムｅＮＢ１００１が、近隣ｅＮＢよってサービスされているＵＥのためのＵＥ送信に基づいてＲＢ中の干渉を検出すると、時間１００７および１００８において、ビクティムｅＮＢ１００１は、ＯＩメッセージを生成し、送信する。アグレッサｅＮＢ１０００は、次いで、ＯＩメッセージ中の情報を使用して、送信電力を低減するかまたは対応するＲＢ上にＵＬ送信を再スケジュールするように干渉ＵＥに指示し得る。このプロセスに従って、ＲＮＴＰおよびＯＩに基づく送信電力ネゴシエーションが要求に応じて交換され、これらの信号への応答は、アグレッサｅＮＢ１０００の送信電力の調整を生じるために使用され得る。干渉は、負荷、ユーザジオメトリなどの動的変更を使用して緩和され得る。
【００７１】
[0083]図１１は、本開示の一態様に従って構成されたアグレッサＵＥ１１００とビクティム１１０３のセットを示すブロック図である。図１１では、ｅＮＢ１１０１はＵＥ１１００のためのサービングｅＮＢであり、ｅＮＢ１１０２はＵＥ１１０３のためのサービングｅＮＢである。さらに、ｅＮＢ１１０１およびｅＮＢ１１０２は、Ｘ２インターフェース１１０４を介して通信することができる。
【００７２】
[0084]図１１では、ネットワークは、ｅＮＢ１１０２からのビクティムＵＥ１１０３ＤＬ受信に対する高干渉を生じる、アグレッサＵＥ１１００からｅＮＢ１１０１へのＵＬ送信を識別する。そのようなアグレッサ／ビクティムセットが識別されると、アグレッサＵＥ１１００のサービングセル、ｅＮＢ１１０１についての、ＩＣＩＣ機構のＨＩＩ指示は、ビクティムＵＥ１１０３など、ビクティムＵＥをサービスする近隣セル、ｅＮＢ１１０２まで拡張される。ｅＮＢ１１０１は、バックホールＸ２インターフェース１１０４を介してｅＮＢ１１０２にＨＩＩ通知１１０５を送信する。ｅＮＢ１１０１からＨＩＩ通知１１０５を受信すると、ｅＮＢ１１０２は、それらの干渉ＲＢ中に他のＵＥをスケジュールし得るか、またはＵＥ間干渉影響を最小限に抑えるために、異なる周波数またはＲＢ中でビクティムＵＥ１１０３をサービスし得る。
【００７３】
[0085]非対称ＵＬ／ＤＬベースのＵＥ間またはｅＮＢ間干渉が存在するセル間の制御シグナリングに応答して伝送特性を調整する際に、干渉の影響を緩和するために特定のスケジューリングが採用され得る。ＵＥ間干渉シナリオでは、アグレッサのサービングｅＮＢは、ビクティムＵＥに対する高いＵＥ間干渉を緩和するために、衝突するタイムスロット中に潜在的アグレッサをスケジュールすることを回避し得る。代替または追加として、ビクティムＵＥのサービングｅＮＢは、アグレッサＵＥからの高いＵＥ間干渉を緩和するために、衝突するタイムスロット中に潜在的ビクティムＵＥをスケジュールすることを回避し得る。
【００７４】
[0086]ｅＮＢ間干渉シナリオでは、干渉を緩和するためにいくつかの異なるスケジューリング機構が使用され得る。図１２は、本開示の一態様に従って構成された周波数分割多重（ＦＤＭ）区分を示すブロック図である。衝突するスロットでは、アグレッサｅＮＢ１２００の送信情報が、ビクティムｅＮＢ１２０１の送信情報に対する周波数に従って分割され得る。たとえば、アグレッサｅＮＢ１２００は、スロットエッジ１２０２および１２０４における周波数のみにおいて共通基準信号（ＣＲＳ）をスケジュールする。ＤＬ送信のためのデータは、スロット中心１２０３の中心周波数においてスケジュールされる。ビクティムｅＮＢ１２０１のための対応スロットは、スロットエッジ１２０５および１２０６の周波数においてＵＬデータを送信するようにスケジュールされている。スロット中心１２０３に対応するビクティムｅＮＢ１２０１のスロットのスロット中心１２０６の周波数は、送信情報なしにスケジュールされる。したがって、スケジュールされた衝突するスロットは、対応する周波数中で衝突する送信データを含まないであろう。
【００７５】
[0087]時分割多重（ＴＤＭ）構成では、アグレッサ／ビクティムｅＮＢセットは、ＴＤＭ方式でＤＬ／ＵＬ送信をスケジュールし得る。たとえば、ビクティムｅＮＢ  ＵＬからのＵＬ送信のコンテキストでは、ビクティムｅＮＢにおいてＤＬのためのＡＣＫ／ＮＡＣＫを与えるためのＰＵＣＣＨメッセージにより衝突が発生することがある。そのようなＡＣＫ／ＮＡＣＫ  ＵＬ  ＰＵＣＣＨ送信において起こり得る干渉を克服するために、ＨＡＲＱタイムラインが変更され得る。しかしながら、そのようなソリューションは、現在、送信規格に対する変更を必要とする。別の潜在的ソリューションは、上記の図１２に示し、図１２に関して説明したＦＤＭ手法に従ってＡＣＫ／ＮＡＣＫ送信をスケジュールすることであり得る。
【００７６】
[0088]アグレッサｅＮＢからのＤＬ送信のコンテキストでは、アグレッサｅＮＢが、状態品質測定を実行することが可能なピコｅＮＢであるとき、アグレッサピコｅＮＢは、ビクティムｅＮＢのためのＵＬ許可情報を動的に復号し、復号された情報を使用して、衝突干渉を回避するように送信をスケジュールし得る。代替的に、ＤＬ／ＵＬ  ＴＤＭ区分を使用した半静的ソリューションが採用され得る。例示的な一態様では、マクロｅＮＢは、競合するサブフレームが、それのトラフィック／負荷状態に基づいてＵＬ送信のために使用されるべきかどうかを、Ｘ２インターフェースを介してピコｅＮＢに周期的に通知し得る。別の例示的な態様では、アグレッサピコｅＮＢは、マクロｅＮＢからの信号に基づいて、オールモストブランクサブフレーム（ＡＢＳ：almost blank subframe）として競合するＤＬサブフレームを構成する。ＡＢＳサブフレームは、一般に、どんなトラフィックチャネルも送らず、たいてい極めて低い電力をもつ制御チャネルフレームである。オールモストブランクリソースは、ほとんどデータトラフィック干渉なしに使用され得るＡＢＳサブフレームの利用可能なリソースである。またさらなる態様では、ビクティムｅＮＢは、競合するＵＬサブフレームにブランクをスケジュールし得る。本開示の様々な態様は、非対称ＵＬ／ＤＬ競合スロットによる干渉を緩和するための特定のスケジューリングに限定されない。
【００７７】
[0089]図１３は、本開示の一態様に従って構成された例示的なｅＮＢ１１０を示すブロック図である。ｅＮＢ１１０は、ｅＮＢ１１０の特徴および機能を動作させるためにメモリ５４２に記憶されたファームウェアとソフトウェアとを実行するコントローラ／プロセッサ５４０を含む。コントローラ／プロセッサ５４０はまた、これらの特徴を実装するｅＮＢ１１０に対する様々な構成要素を制御する。ｅＮＢ１１０がアグレッサｅＮＢであるとき、アンテナ５３４ａ〜ｔを介して受信され、変調器／復調器５３２ａ〜ｔにおいて復調され、受信プロセッサ５３８において処理された信号は、メモリ５４２に記憶されたアグレッサ／ビクティムアルゴリズム１３００を実行するコントローラ／プロセッサ５４０によって分析される。アグレッサ／ビクティムアルゴリズム１３００は、非対称ＵＬ／ＤＬスロット構成から干渉を受けている１つまたは複数のビクティムｅＮＢを判断するために信号測定値を分析する。これらの構成要素および行為の組合せは、アグレッサｅＮＢとともに非対称ＵＬ／ＤＬスロットから干渉を受ける少なくとも１つのビクティムｅＮＢを識別するための手段を与える。
【００７８】
[0090]ビクティムｅＮＢが識別されると、現在の受信品質情報は、アンテナ５３４ａ〜ｔと変調器／復調器５３２ａ〜ｔと受信プロセッサ５３８とを介して受信され、送信電力を設定するためにコントローラ／プロセッサ５４０によって使用され得る。これらの構成要素および行為の組合せは、少なくとも１つのビクティムｅＮＢから受信された現在の受信品質情報に基づいて初期送信電力を設定するための手段を与える。
【００７９】
[0091]コントローラ／プロセッサ５４０は、メモリ５４２中の制御シグナリングアプリケーション１３０１にアクセスすることによって、ＲＮＴＰなど、制御信号を生成する。生成された信号は、次いで、変調器／復調器５３２ａ〜ｔにおいて変調され、アンテナ５３４ａ〜ｔを介して送信される。これらの構成要素および行為の組合せは、アグレッサｅＮＢから少なくとも１つのビクティムｅＮＢに、１つまたは複数の送信ＲＢと初期送信電力とを識別する第１の制御シグナリングを送信するための手段を与える。
【００８０】
[0092]ビクティムｅＮＢとして動作するとき、ｅＮＢ１１０は、アンテナ５３４ａ〜ｔと変調器／復調器５３２ａ〜ｔと受信プロセッサ５３８とを通してアグレッサｅＮＢから制御シグナリングを受信し得る。コントローラ／プロセッサ５４０は、アグレッサｅＮＢが制御シグナリング中に含めた識別されたＲＢと初期送信電力とを読み取る。これらの構成要素および行為の組合せは、１つまたは複数の送信ＲＢとアグレッサｅＮＢの初期送信電力とを識別する第１の制御シグナリングをアグレッサｅＮＢから受信するための手段を与える。
【００８１】
[0093]コントローラ／プロセッサ５４０は、識別された送信ＲＢのための制御シグナリングと識別された送信電力とを使用し、スケジューラ５４４を使用して、より低い干渉を受けるか、制御シグナリング中で識別された対応する送信ＲＢを回避するかのいずれかを行うアップリンク送信をＲＢにおいてスケジュールする。これらの構成要素および行為の組合せは、１つまたは複数の送信ＲＢとの干渉を緩和するように、アップリンク送信のためにビクティムｅＮＢによってサービスされている１つまたは複数のＵＥをスケジュールするための手段を与える。
【００８２】
[0094]本開示の追加の態様では、アグレッサＵＥをサービスするように構成されたとき、ｅＮＢ１１０は、変調器／復調器５３２ａ〜ｔによって復調され、受信プロセッサ５３８において処理され、メモリ５４２に記憶される状態品質測定値１３０２を、アンテナ５３４ａ〜ｔを介して受信する。これらの構成要素および行為の組合せは、ｅＮＢによってサービスされるアグレッサＵＥから、および１つまたは複数の近隣ｅＮＢによってサービスされる１つまたは複数のビクティムＵＥから、ｅＮＢにおける状態品質測定値を受信するための手段を与える。
【００８３】
[0095]この追加の態様では、コントローラ／プロセッサ５４０は、次いで、状態品質測定値を比較および分析するために、メモリ５４２に記憶されたアグレッサ／ビクティムアルゴリズム１３００を実行する。アグレッサ／ビクティムアルゴリズム１３００の結果は、近隣セル中でサービスされるビクティムＵＥを識別する。これらの構成要素および行為の組合せは、状態品質測定値に基づいて１つまたは複数のビクティムＵＥを識別するための手段を与える。
【００８４】
[0096]ビクティムＵＥが識別されるので、ｅＮＢ１１０は、コントローラ／プロセッサ５４０の制御下で、ＨＩＩなど、近隣セルのための制御信号を生成するためにメモリ５４２に記憶された制御信号アプリケーション１３０１にアクセスする。コントローラ／プロセッサ５４０は、最初に変調器／復調器５３２ａ〜ｔにおいて信号を変調し、次いでアンテナ５３４ａ〜ｔを介して送信する近隣セルに制御信号を送信する。これらの構成要素および行為の組合せは、アグレッサＵＥに割り当てられた１つまたは複数のアップリンクＲＢに関連する予想される高干渉を示す制御信号を１つまたは複数の近隣ｅＮＢに送信するための手段を与える。
【００８５】
[0097]ｅＮＢ１１０がビクティムＵＥのうちの１つをサービスする近隣ｅＮＢとして動作するとき、制御信号がアンテナ５３４ａ〜ｔにおいて受信され、変調器／復調器５３２ａ〜ｔにおいて復調され、受信プロセッサ５３８において処理される。これらの構成要素および行為の組合せは、アグレッサＵＥをサービスするサービングｅＮＢからｅＮＢにおける制御信号を受信するための手段を与え、ここにおいて、制御信号は、アグレッサＵＥに割り当てられた１つまたは複数のアップリンクＲＢに関連するサービングｅＮＢによって予想される高干渉を示す。
【００８６】
[0098]コントローラ／プロセッサ５４０は、コントローラ／プロセッサ５４０の制御下で、スケジューラ５４４とともに受信した制御信号を使用して、アグレッサＵＥのアップリンク送信によって引き起こされ得るダウンリンク干渉を緩和するように、ｅＮＢ１１０がサービスしているＵＥをスケジュールする。スケジューラ５４４からのスケジューリング信号は、コントローラ／プロセッサ５４０の制御下で、最初に変調器／復調器５３２ａ〜ｔにおいて信号を変調し、アンテナ５３４ａ〜ｔを介して送信するターゲットＵＥに送信される。これらの構成要素および行為の組合せは、アグレッサＵＥからアップリンク送信によって引き起こされる１つまたは複数のＵＥにおける干渉を緩和するように、ｅＮＢにおいてサービスされる１つまたは複数のＵＥをスケジュールするための手段を与える。
【００８７】
[0099]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８８】
[0100]図７の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００８９】
[0101]さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００９０】
[0102]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９１】
[0103]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００９２】
[0104]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９３】
[0105]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
１つまたは複数のネットワークエンティティに関連するアグレッサ発展型ノードＢ（ｅＮＢ）が状態品質測定値を取得することと、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別することと、
前記１つまたは複数のネットワークエンティティに制御信号を送信することと、ここにおいて、前記制御信号が前記干渉の緩和に関係する、
を備える、ワイヤレス通信の方法。
［Ｃ２］
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、Ｃ１に記載の方法。
［Ｃ３］
前記状態品質測定値を比較すること、ここにおいて、前記状態品質測定値が、前記アグレッサＵＥと、前記１つまたは複数のビクティムネットワークエンティティのうちの残りのビクティムネットワークエンティティとに関連する、
をさらに備え、
ここにおいて、前記識別することが、少なくとも部分的に、前記比較することに基づく、
Ｃ２に記載の方法。
［Ｃ４］
前記状態品質測定値が、
基準信号受信電力（ＲＳＲＰ）、
基準信号受信品質（ＲＳＲＱ）、
前記サービスするｅＮＢと前記１つまたは複数の近隣ｅＮＢとに対する経路損失測定値、
チャネル品質インジケータ（ＣＱＩ）、または
それらの組合せ
のうちの１つまたは複数を備える、Ｃ３に記載の方法。
［Ｃ５］
高干渉を受ける１つまたは複数の受信リソースブロック（ＲＢ）を識別する前記１つまたは複数のビクティムネットワークエンティティから第２の制御信号を受信することと、
前記アグレッサｅＮＢが、前記第２の制御信号に応答して初期送信電力を調整することと
をさらに備える、Ｃ１に記載の方法。
［Ｃ６］
前記取得することが、前記１つまたは複数のネットワークエンティティから前記状態品質測定値を受信することを備え、ここにおいて、前記識別することが、前記１つまたは複数のビクティムネットワークエンティティを判断するために前記状態品質測定値を分析することを備える、Ｃ１に記載の方法。
［Ｃ７］
前記取得することが、前記１つまたは複数のネットワークエンティティに関連する前記状態品質測定値を測定することを備え、ここにおいて、前記識別することが、前記１つまたは複数のビクティムネットワークエンティティを判断するために前記状態品質測定値を分析することを備える、Ｃ１に記載の方法。
［Ｃ８］
周波数に従って前記アグレッサｅＮＢにおいてダウンリンクスロットを区分することと、
前記ダウンリンクスロット中のダウンリンクデータのための第１の周波数を割り当てることと、ここにおいて、前記第１の周波数が、前記１つまたは複数のビクティムネットワークエンティティの対応するアップリンクスロット中のオールモストブランクリソースに対応する、
をさらに備える、Ｃ１に記載の方法。
［Ｃ９］
前記アグレッサｅＮＢにおいて、前記１つまたは複数のビクティムネットワークエンティティのアップリンク許可情報を復号することと、
前記復号されたアップリンク許可情報中に示されるアップリンク送信との衝突を回避するために、前記アグレッサｅＮＢにおいてダウンリンク送信をスケジュールすることと、
をさらに備える、Ｃ１に記載の方法。
［Ｃ１０］
前記アグレッサｅＮＢにおいて、バックホールインターフェースを介して前記１つまたは複数のビクティムネットワークエンティティからアップリンク送信情報を受信することと、
前記アップリンク送信情報中に示されるアップリンク送信との衝突を回避するために、前記アグレッサｅＮＢにおいてダウンリンク送信をスケジュールすることと、
をさらに備える、Ｃ１に記載の方法。
［Ｃ１１］
前記スケジュールすることが、
前記１つまたは複数のネットワークエンティティのアップリンクサブフレームと競合するダウンリンクサブフレームをオールモストブランクサブフレーム（ＡＢＳ）としてスケジュールすること
を備える、Ｃ１０に記載の方法。
［Ｃ１２］
ビクティム発展型ノードＢ（ｅＮＢ）においてアグレッサｅＮＢから制御信号を受信することと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることと
を備える、ワイヤレス通信の方法。
［Ｃ１３］
前記ビクティムｅＮＢが、１つまたは複数のビクティムＵＥを含む複数のユーザ機器（ＵＥ）をサービスするｅＮＢを備える、Ｃ１２に記載の方法。
［Ｃ１４］
前記制御信号が、前記１つまたは複数のビクティムＵＥに割り当てられた１つまたは複数のリソースブロック（ＲＢ）とともに前記アグレッサｅＮＢから予想される高干渉を示す、Ｃ１３に記載の方法。
［Ｃ１５］
前記スケジュールすることは、
前記ビクティムｅＮＢが、前記複数のＵＥのうちの非ビクティムＵＥがサブフレーム中の前記送信状態によって引き起こされる干渉を受けない、前記サブフレーム中の前記非ビクティムＵＥをスケジュールすること
を備える、Ｃ１４に記載の方法。
［Ｃ１６］
前記スケジュールすることは、
前記ビクティムｅＮＢが、周波数に従って前記ビクティムｅＮＢに関連する送信スロットを区分することと、
前記送信スロット中のダウンリンクデータのための第１の周波数を割り当てることと、ここにおいて、前記第１の周波数が、前記アグレッサｅＮＢに関連する対応する逆方向送信スロット中のオールモストブランクリソースに対応する、
を備える、Ｃ１２に記載の方法。
［Ｃ１７］
１つまたは複数のアップリンクＲＢ中で高干渉を検出することと、
前記検出することに応答して前記アグレッサｅＮＢに過負荷インジケータを送信することと
をさらに備える、Ｃ１２に記載の方法。
［Ｃ１８］
前記スケジュールすることが、
前記アグレッサｅＮＢのダウンリンクスロットに対応する前記ビクティムｅＮＢのアップリンクスロットのためにスケジュールされたアップリンク肯定応答（ＡＣＫ）／否定応答（ＮＡＣＫ）を回避するために、ハイブリッド自動再送要求（ＨＡＲＱ）タイムラインを変更すること
を備える、Ｃ１２に記載の方法。
［Ｃ１９］
前記スケジュールすることが、
前記アグレッサｅＮＢ中のダウンリンクサブフレームに対応する前記ビクティムｅＮＢのアップリンクサブフレーム中でブランクスロットをスケジュールすること
を備える、Ｃ１２に記載の方法。
［Ｃ２０］
１つまたは複数のネットワークエンティティに関連するアグレッサ発展型ノードＢ（ｅＮＢ）が状態品質測定値を取得するための手段と、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別するための手段と、
前記１つまたは複数のネットワークエンティティに制御信号を送信するための手段と、ここにおいて、前記制御信号が前記干渉の緩和に関係する、
を備える、ワイヤレス通信のために構成された装置。
［Ｃ２１］
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、Ｃ２０に記載の装置。
［Ｃ２２］
前記状態品質測定値を比較するための手段と、ここにおいて、前記状態品質測定値が、前記アグレッサＵＥと、前記１つまたは複数のビクティムネットワークエンティティのうちの残りのビクティムネットワークエンティティとに関連する、をさらに備え、
ここにおいて、識別するための前記手段が、少なくとも部分的に比較するための前記手段に基づく、
Ｃ２１に記載の装置。
［Ｃ２３］
前記状態品質測定値が、
基準信号受信電力（ＲＳＲＰ）、
基準信号受信品質（ＲＳＲＱ）、
前記サービスするｅＮＢと前記１つまたは複数の近隣ｅＮＢとに対する経路損失測定値、
チャネル品質インジケータ（ＣＱＩ）、または
それらの組合せ
のうちの１つまたは複数を備える、Ｃ２２に記載の装置。
［Ｃ２４］
高干渉を受ける１つまたは複数の受信リソースブロック（ＲＢ）を識別する前記１つまたは複数のビクティムネットワークエンティティから第２の制御信号を受信するための手段と、
前記アグレッサｅＮＢが、前記第２の制御信号に応答して初期送信電力を調整するための手段と
をさらに備える、Ｃ２０に記載の装置。
［Ｃ２５］
取得するための前記手段が、前記１つまたは複数のネットワークエンティティから前記状態品質測定値を受信するための手段を備え、ここにおいて、識別するための前記手段が、前記１つまたは複数のビクティムネットワークエンティティを判断するために前記状態品質測定値を分析するための手段を備える、Ｃ２０に記載の装置。
［Ｃ２６］
取得するための前記手段が、前記１つまたは複数のネットワークエンティティに関連する前記状態品質測定値を測定するための手段を備え、ここにおいて、識別するための前記手段が、前記１つまたは複数のビクティムネットワークエンティティを判断するために前記状態品質測定値を分析するための手段を備える、Ｃ２０に記載の装置。
［Ｃ２７］
周波数に従って前記アグレッサｅＮＢにおいてダウンリンクスロットを区分するための手段と、
前記ダウンリンクスロット中のダウンリンクデータのための第１の周波数を割り当てるための手段と、ここにおいて、前記第１の周波数が、前記１つまたは複数のビクティムネットワークエンティティの対応するアップリンクスロット中のオールモストブランクリソースに対応する、
をさらに備える、Ｃ２０に記載の装置。
［Ｃ２８］
前記アグレッサｅＮＢにおいて、前記１つまたは複数のビクティムネットワークエンティティのアップリンク許可情報を復号するための手段と、
前記復号されたアップリンク許可情報中に示されるアップリンク送信との衝突を回避するために、前記アグレッサｅＮＢにおいてダウンリンク送信をスケジュールするための手段と、
をさらに備える、Ｃ２０に記載の装置。
［Ｃ２９］
前記アグレッサｅＮＢにおいて、バックホールインターフェースを介して前記１つまたは複数のビクティムネットワークエンティティからアップリンク送信情報を受信するための手段と、
前記アップリンク送信情報中に示されるアップリンク送信との衝突を回避するために、前記アグレッサｅＮＢにおいてダウンリンク送信をスケジュールするための手段と、
をさらに備える、Ｃ２０に記載の装置。
［Ｃ３０］
スケジュールするための前記手段が、
前記１つまたは複数のネットワークエンティティのアップリンクサブフレームと競合するダウンリンクサブフレームをオールモストブランクサブフレーム（ＡＢＳ）としてスケジュールするための手段
を備える、Ｃ２９に記載の装置。
［Ｃ３１］
ビクティム発展型ノードＢ（ｅＮＢ）においてアグレッサｅＮＢから制御信号を受信するための手段と、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールするための手段と
を備える、ワイヤレス通信のために構成された装置。
［Ｃ３２］
前記ビクティムｅＮＢが、１つまたは複数のビクティムＵＥを含む複数のユーザ機器（ＵＥ）をサービスするｅＮＢを備える、Ｃ３１に記載の装置。
［Ｃ３３］
前記制御信号が、前記１つまたは複数のビクティムＵＥに割り当てられた１つまたは複数のリソースブロック（ＲＢ）とともに前記アグレッサｅＮＢから予想される高干渉を示す、Ｃ３２に記載の装置。
［Ｃ３４］
スケジュールするための前記手段は、
前記ビクティムｅＮＢが、前記複数のＵＥのうちの非ビクティムＵＥがサブフレーム中の前記送信状態によって引き起こされる干渉を受けない、前記サブフレーム中の前記非ビクティムＵＥをスケジュールするための手段
を備える、Ｃ３３に記載の装置。
［Ｃ３５］
スケジュールするための前記手段は、
前記ビクティムｅＮＢが、周波数に従って前記ビクティムｅＮＢに関連する送信スロットを区分するための手段と、
前記送信スロット中のダウンリンクデータのための第１の周波数を割り当てるための手段と、ここにおいて、前記第１の周波数が、前記アグレッサｅＮＢに関連する対応する逆方向送信スロット中のオールモストブランクリソースに対応する、
を備える、Ｃ３１に記載の装置。
［Ｃ３６］
１つまたは複数のアップリンクＲＢ中で高干渉を検出するための手段と、
検出するための前記手段に応答して前記アグレッサｅＮＢに過負荷インジケータを送信するための手段と
をさらに備える、Ｃ３１に記載の装置。
［Ｃ３７］
スケジュールするための前記手段が、
前記アグレッサｅＮＢのダウンリンクスロットに対応する前記ビクティムｅＮＢのアップリンクスロットのためにスケジュールされたアップリンク肯定応答（ＡＣＫ）／否定応答（ＮＡＣＫ）を回避するために、ハイブリッド自動再送要求（ＨＡＲＱ）タイムラインを変更するための手段
を備える、Ｃ３１に記載の装置。
［Ｃ３８］
スケジュールするための前記手段が、
前記アグレッサｅＮＢ中のダウンリンクサブフレームに対応する前記ビクティムｅＮＢのアップリンクサブフレーム中でブランクスロットをスケジュールするための手段
を備える、Ｃ３１に記載の装置。
［Ｃ３９］
プログラムコードを記録した非一時的コンピュータ可読媒体を備える、ワイヤレスネットワークにおけるワイヤレス通信のためのコンピュータプログラム製品であって、前記プログラムコードは、
１つまたは複数のネットワークエンティティに関連するアグレッサ発展型ノードＢ（ｅＮＢ）が状態品質測定値を取得することをコンピュータに行わせるためのプログラムコードと、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別することを前記コンピュータに行わせるためのプログラムコードと、
前記１つまたは複数のネットワークエンティティに制御信号を送信することを前記コンピュータに行わせるためのプログラムコードと、ここにおいて、前記制御信号が前記干渉の緩和に関係する、
を含む、コンピュータプログラム製品。
［Ｃ４０］
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、Ｃ３９に記載のコンピュータプログラム製品。
［Ｃ４１］
周波数に従って前記アグレッサｅＮＢにおいてダウンリンクスロットを区分することを前記コンピュータに行わせるためのプログラムコードと、
前記ダウンリンクスロット中のダウンリンクデータのための第１の周波数を割り当てることを前記コンピュータに行わせるためのプログラムコードと、ここにおいて、前記第１の周波数が、前記１つまたは複数のビクティムネットワークエンティティの対応するアップリンクスロット中のオールモストブランクリソースに対応する、
をさらに備える、Ｃ３９に記載のコンピュータプログラム製品。
［Ｃ４２］
前記アグレッサｅＮＢにおいて、前記１つまたは複数のビクティムネットワークエンティティのアップリンク許可情報を復号することを前記コンピュータに行わせるためのプログラムコードと、
前記復号されたアップリンク許可情報中に示されるアップリンク送信との衝突を回避するために、前記アグレッサｅＮＢにおいてダウンリンク送信をスケジュールすることを前記コンピュータに行わせるためのプログラムコードと、
をさらに備える、Ｃ３９に記載のコンピュータプログラム製品。
［Ｃ４３］
プログラムコードを記録した非一時的コンピュータ可読媒体を備える、ワイヤレスネットワークにおけるワイヤレス通信のためのコンピュータプログラム製品であって、前記プログラムコードは、
ビクティム発展型ノードＢ（ｅＮＢ）においてアグレッサｅＮＢから制御信号を受信することをコンピュータに行わせるためのプログラムコードと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることを前記コンピュータに行わせるためのプログラムコードと、
を含む、コンピュータプログラム製品。
［Ｃ４４］
前記ビクティムｅＮＢが、１つまたは複数のビクティムＵＥを含む複数のユーザ機器（ＵＥ）をサービスするｅＮＢを備える、Ｃ４３に記載のコンピュータプログラム製品。
［Ｃ４５］
スケジュールすることを前記コンピュータに行わせるための前記プログラムコードは、
前記ビクティムｅＮＢが、周波数に従って前記ビクティムｅＮＢに関連する送信スロットを区分することを前記コンピュータに行わせるためのプログラムコードと、
前記送信スロット中のダウンリンクデータのための第１の周波数を割り当てることを前記コンピュータに行わせるためのプログラムコードと、ここにおいて、前記第１の周波数が、前記アグレッサｅＮＢに関連する対応する逆方向送信スロット中のオールモストブランクリソースに対応する、
を備える、Ｃ４３に記載のコンピュータプログラム製品。
［Ｃ４６］
１つまたは複数のアップリンクＲＢ中で高干渉を検出することを前記コンピュータに行わせるためのプログラムコードと、
検出することを前記コンピュータに行わせるための前記プログラムコードに応答して、前記アグレッサｅＮＢに過負荷インジケータを送信することを前記コンピュータに行わせるためのプログラムコードと
をさらに備える、Ｃ４３に記載のコンピュータプログラム製品。
［Ｃ４７］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
１つまたは複数のネットワークエンティティに関連するアグレッサ発展型ノードＢ（ｅＮＢ）が状態品質測定値を取得することと、
前記ｅＮＢが、前記状態品質測定値に基づいて非対称アップリンク（ＵＬ）／ダウンリンク（ＤＬ）スロットから干渉を受ける１つまたは複数のビクティムネットワークエンティティを識別することと、
前記１つまたは複数のネットワークエンティティに制御信号を送信することと、ここにおいて、前記制御信号が前記干渉の緩和に関係する、
を行うように構成された、装置。
［Ｃ４８］
前記アグレッサｅＮＢが、アグレッサユーザ機器（ＵＥ）をサービスするｅＮＢを備え、ここにおいて、前記アグレッサＵＥが前記１つまたは複数のネットワークエンティティのうちの１つである、Ｃ４７に記載の装置。
［Ｃ４９］
周波数に従って前記アグレッサｅＮＢにおいてダウンリンクスロットを区分することと、
前記ダウンリンクスロット中のダウンリンクデータのための第１の周波数を割り当てることと、ここにおいて、前記第１の周波数が、前記１つまたは複数のビクティムネットワークエンティティの対応するアップリンクスロット中のオールモストブランクリソースに対応する
を行うための前記少なくとも１つのプロセッサの構成をさらに備える、Ｃ４７に記載の装置。
［Ｃ５０］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
ビクティム発展型ノードＢ（ｅＮＢ）においてアグレッサｅＮＢから制御信号を受信することと、ここにおいて、前記制御信号が、前記ビクティムｅＮＢにおける干渉を示す送信状態を示す、
前記ビクティムｅＮＢが、前記干渉を緩和するために前記ビクティムｅＮＢに関連する送信をスケジュールすることと
を行うように構成された、装置。
［Ｃ５１］
前記ビクティムｅＮＢが、１つまたは複数のビクティムＵＥを含む複数のユーザ機器（ＵＥ）をサービスするｅＮＢを備える、Ｃ５０に記載の装置。
［Ｃ５２］
スケジュールするための前記少なくとも１つのプロセッサの前記構成は、
前記ビクティムｅＮＢが、周波数に従って前記ビクティムｅＮＢに関連する送信スロットを区分することと、
前記送信スロット中のダウンリンクデータのための第１の周波数を割り当てることと、ここにおいて、前記第１の周波数が、前記アグレッサｅＮＢに関連する対応する逆方向送信スロット中のオールモストブランクリソースに対応する、
を行うための前記少なくとも１つのプロセッサの構成を備える、Ｃ５０に記載の装置。
【図１】
0006479894.tif 000002
【図２】
0006479894.tif 000003
【図３】
0006479894.tif 000004
【図４】
0006479894.tif 000005
【図５】
0006479894.tif 000006
【図６】
0006479894.tif 000007
【図７】
0006479894.tif 000008
【図８】
0006479894.tif 000009
【図９Ａ】
0006479894.tif 000010
【図９Ｂ】
0006479894.tif 000011
【図１０】
0006479894.tif 000012
【図１１】
0006479894.tif 000013
【図１２】
0006479894.tif 000014
【図１３】
0006479894.tif 000015